(57)【特許請求の範囲】
【請求項１】
建物に固定されているドア枠に回動可能に取り付けられる支持構造材と、前記支持構造材の内側に嵌め込まれるドアパネルとを有する耐火扉であって、
前記支持構造材は、
前記ドアパネルが内側に配置される防火断熱板と、
前記防火断熱板の表側面に取り付けられる表側鋼板と、
前記防火断熱板の裏側面に取り付けられる裏側鋼板と、
前記防火断熱板と、前記表側鋼板と、前記裏側鋼板とを貫通するボルトと、
前記裏側鋼板に上下方向に開口するルーズ穴に対して前記ボルトの頭部を固定する第１ワッシャーと、
前記表側鋼板に上下方向に開口するルーズ穴に対して前記ボルトのねじ先側を固定する第２ワッシャーと、
を有し、
前記第１ワッシャーと前記第２ワッシャーとは、所定温度まで加熱されると消失する物質で成形される、
耐火扉。
【請求項２】
請求項１に記載の耐火扉において、
前記支持構造材は、
前記表側鋼板の表側面に取り付けられる表側被覆板と、
前記裏側鋼板の裏側面に取り付けられる裏側被覆板と、
を有し、
前記表側被覆板の表側鋼板側の面および前記裏側被覆板の前記裏側鋼板側の面には、熱感応型発泡材が設けられる、
耐火扉。
【発明の詳細な説明】
【技術分野】
【０００１】
本発明は、建物の特別避難階段室やその前室（附室）、非常用エレベータの乗降ロビーなどの消防活動拠点にその出入り口として設けられる耐火扉に関する。
【背景技術】
【０００２】
消防法の性能規定化により、ビルや学校、集合住宅などの建物内に消防活動拠点を設置することが義務付けられる。消防活動拠点は耐火壁により周囲を囲われることにより居室空間に対して区画された耐火区画として構成されており、これを拠点として消防活動が行われる。また、消防活動拠点は、火災時などにおける避難者の一時待避場所としても使用される。
【０００３】
消防活動拠点を区画する耐火壁がコンクリート製であり、そこに出入り口として設けられる耐火扉が鉄製である場合、消防活動拠点と居室との間は見通しが効かなくなる。そのため、消防隊が消防活動拠点にまで駆けつけても、そこから居室内を目視することができないため、居室の火災状況を把握することが難しく、迅速な消防活動（消火活動）を行うことが困難であった。また、避難者にとっては、火災時などに避難階段を目視で確認することができないという問題があった。
【０００４】
そこで、消防活動拠点に設ける耐火扉として、ガラス耐火扉を用いるようにした技術が開発されている（例えば特許文献１参照）。耐火扉としてガラス耐火扉を用いることにより、消防活動拠点と居室との間の見通しが確保され、消防隊の迅速な消火活動や避難者の迅速な避難が可能となる。
【先行技術文献】
【特許文献】
【０００５】
【特許文献１】特開２０１３−２０４３５７号公報
【発明の概要】
【発明が解決しようとする課題】
【０００６】
従来の技術では、消防活動拠点内への輻射熱の放射、煙や熱などの流入を防止できる。
【０００７】
ここで、ドアパネルを囲う支持構造材の面積が大きくなるに従い、支持構造材へ蓄積される熱量は、大きくなる。そして、従来の技術では、火災時に支持構造材が変形することで、ガラス製であるドアパネルが破損する可能性があった。
【０００８】
本発明の目的は、火災時にドアパネルを囲う支持構造材が変形することでドアパネルが破損することを防止することである。
【課題を解決するための手段】
【０００９】
本発明の耐火扉は、建物に固定されているドア枠に回動可能に取り付けられる支持構造材と、前記支持構造材の内側に嵌め込まれるドアパネルとを有する耐火扉であって、前記支持構造材は、前記ドアパネルが内側に配置される防火断熱板を有する。また、前記支持構造材は、前記防火断熱板の表側面に取り付けられる表側鋼板を有する。また、前記支持構造材は、前記防火断熱板の裏側面に取り付けられる裏側鋼板を有する。また、前記支持構造材は、前記防火断熱板と、前記表側鋼板と、前記裏側鋼板とを貫通するボルトを有する。また、前記支持構造材は、前記裏側鋼板に上下方向に開口するルーズ穴に対して前記ボルトの頭部を固定する第１ワッシャーを有する。また、前記支持構造材は、前記表側鋼板に上下方向に開口するルーズ穴に対して前記ボルトの前記ねじ先側を固定する第２ワッシャーを有する。また、前記第１ワッシャーと前記第２ワッシャーとは、所定温度まで加熱されると消失する物質で成形される。
【発明の効果】
【００１０】
本発明によれば、火災時にドアパネルを囲う支持構造材が変形することでドアパネルが破損することを防止できる。
【図面の簡単な説明】
【００１１】
【図１】本発明が適用された耐火扉が設けられた消防活動拠点を示す説明図である。
【図２】（ａ）は図１に示す耐火扉の正面図であり、（ｂ）は図１に示す耐火扉の背面図である。
【図３】（ａ）〜（ｅ）は、支持構造材が備える、防火断熱板と、裏側鋼板と、表側鋼板と、裏側被覆板と、表側被覆板との正面図である。
【図４】支持構造材が備える、防火断熱板と、裏側鋼板と、表側鋼板と、裏側被覆板と、表側被覆板との斜視図である。
【図５】図２におけるＢ−Ｂ’線に沿った縦断面図である。
【図６】図２におけるＡ−Ａ’線に沿った縦断面図である。
【図７】ボルトおよびその周辺をボルトの頭部側から観察した図である。（ａ）はワッシャーが消失する前の状態を示し、（ｂ）はワッシャーが消失した後の状態を示す。
【図８】ボルトおよびその周辺をボルトのねじ先側から観察した図である。（ａ）はワッシャーが消失する前の状態を示し、（ｂ）はワッシャーが消失した後の状態を示す。
【発明を実施するための形態】
【００１２】
以下、本発明の実施形態について図面を参照しながら詳細に説明する。上面図である図１に示されている消防活動拠点１１は、ビル、学校、集合住宅などの建物１２内に設けられ、火災時などにおいて消防隊が建物１２内で消火活動する際の拠点として使用される。この消防活動拠点１１は、火災時などにおいて、避難者の一時待避場所としても使用される。
【００１３】
消防活動拠点１１は四方を耐火壁１３〜１７により囲われており、居室１８と区画された耐火区画として建物１２内に形成されている。また、消防活動拠点１１の内部には耐火間仕切壁１９が設けられ、この耐火間仕切壁１９により区画されて消防活動拠点１１の内部には階段室２１とその前室（特別避難階段附室）２２とが設けられている。以下の説明では、特別避難階段附室２２を“附室２２”と略称する。
【００１４】
階段室２１には避難階段（特別避難階段）２３が設けられ、この避難階段２３を使って避難者が地上などへ避難し、また、消防隊が各階の附室２２へ向かうことができる。また、附室２２に隣接して建物１２には２基のエレベータ２４が設けられており、附室２２はこれらのエレベータ２４の乗降ロビー（エレベータホール）としても使用される。
【００１５】
消防活動拠点１１を区画する耐火壁１３〜１７の一部、つまり附室２２と居室１８とを区画する耐火壁１３と、階段室２１と居室１８とを区画する耐火壁１４とは、それぞれガラス耐火壁として構成されている。具体的には、耐火壁１３，１４には、その壁材として耐火ガラス１３ａ，１４ａが用いられている。耐火壁１３，１４をガラス耐火壁として構成することにより、階段室２１と居室１８との間および附室２２と居室１８との間の見通しが確保されている。つまり、階段室２１や附室２２から耐火壁１３，１４（耐火ガラス１３ａ，１４ａ）を通して居室１８の内部を見通すことができ、また、居室１８からも耐火壁１３，１４（耐火ガラス１３ａ，１４ａ）を通して階段室２１や附室２２の内部を見通すことができる。
【００１６】
したがって、消防活動拠点１１に駆けつけた消防隊は、消防活動拠点１１から居室１８内を目視で確認することができ、消防活動拠点１１を利用した消防隊の迅速な消火活動が可能となる。また、居室１８から消防活動拠点１１内を見通すこともできるので、避難者が居室１８から消防活動拠点１１を目視で確認することが可能となり、消防活動拠点１１を利用した避難者の迅速な避難が可能となる。
【００１７】
階段室２１と附室２２とを区画する耐火間仕切壁１９はガラス耐火間仕切壁として構成されている。具体的には、耐火間仕切壁１９には、その壁材として耐火ガラス１９ａが用いられている。耐火間仕切壁１９をガラス耐火間仕切壁として構成することにより、階段室２１と附室２２との間の見通しが確保されている。つまり、階段室２１から耐火間仕切壁１９（耐火ガラス１９ａ）を通して附室２２の内部を見通すことができ、附室２２からも耐火間仕切壁１９（耐火ガラス１９ａ）を通して階段室２１の内部を見通すことができる。また、階段室２１から耐火間仕切壁１９（耐火ガラス１９ａ）と耐火壁１３（耐火ガラス１３ａ）とを介して居室１８の内部を見通すことができ、居室１８からも耐火壁１３（耐火ガラス１３ａ）と耐火間仕切壁１９（耐火ガラス１９ａ）とを介して階段室２１の内部を見通すことができる。
【００１８】
したがって、消防活動拠点１１に駆けつけた消防隊が、階段室２１から附室２２の内部の状況を目視で確認することができ、消防活動拠点１１を利用した消防隊の迅速な消火活動が可能となる。また、附室２２から階段室２１内を見通すことができるので、避難者が附室２２から階段室２１に向けて迅速に移動することができる。
【００１９】
さらに、耐火壁１３をガラス耐火壁として構成するとともに耐火間仕切壁１９をガラス耐火間仕切壁として構成することにより、附室２２を介して階段室２１と居室１８との間の見通しを確保することができる。したがって、消防活動拠点１１に駆けつけた消防隊は階段室２１から附室２２を介して居室１８の内部の状況を目視で確認することができ、消防活動拠点１１を利用した消防隊の迅速な消火活動が可能となる。また、居室１８から附室２２を介して階段室２１内を見通すことができるので、避難者が居室１８から避難階段２３の存在を容易に確認することができ、消防活動拠点１１を利用した避難者の迅速な避難が可能となる。
【００２０】
附室２２と居室１８との間には、消防活動拠点１１と居室１８との間の出入り口として耐火扉３１が設けられ、この耐火扉３１を通して、避難者や消防隊が居室１８と附室２２との間を行き来することができるようになっている。耐火扉３１は、これが閉じられたときには、耐火壁１３とともに消防活動拠点１１を耐火区画として居室１８に対して区画するようになっている。
【００２１】
また、階段室２１と附室２２との間には、これらの間の出入り口として耐火扉３２が設けられ、この耐火扉３２を通して、消防隊や避難者が階段室２１と附室２２との間を行き来することができるようになっている。耐火扉３２は、これが閉じられたときには、耐火間仕切壁１９とともに階段室２１と附室２２との間を区画するようになっている。
【００２２】
次に、耐火扉３１，３２の構造を図２〜図４に基づいて説明する。もっとも、耐火扉３１，３２は同一の構造を有するので、以下では居室１８と附室２２との間に設けられている耐火扉３１の構造についてのみ説明する。
【００２３】
図２（ａ），（ｂ）に示されるように、耐火扉３１は、支持構造材４１とドアパネル４２とを備え、全体として略矩形の板状に形成されており、不図示のヒンジにより、建物１２（図１）に固定されているドア枠４３の内側に開閉可能に取り付けられている。より具体的には、支持構造材４１がドア枠４３の内側に回動可能に取り付けられ、厚さ２０ｍｍ〜２５ｍｍ程度のドアパネル４２が支持構造材４１の内側に嵌め込まれて保持されている。なお、ドア枠４３は不図示のアンカーにより建物１２の柱や梁に固定されている。また、支持構造材４１の表側には、耐火扉３１を開閉するための取っ手（引き棒）５２が縦向きに取り付けられている。また、支持構造材４１の裏側には、耐火扉３１を開閉するための取っ手（押し棒）５３が縦向きに取り付けられている。
【００２４】
耐火扉３１を構成するドアパネル４２としては、遮熱型耐火ガラスが用いられている。遮熱型耐火ガラスとしては、例えば、ケイ酸ソーダ積層ガラス、ゲル封入複層ガラスなどが用いられる。ドアパネル４２として遮熱型耐火ガラスを用いることにより、図１に示されている居室１８と附室２２との間の見通しを高めつつ火災時には耐火扉３１を介した附室２２内への輻射熱の放射を遮断することができる。なお、ドアパネル４２として、炎と煙をカットする耐熱ガラスを用いても良い。
【００２５】
図２，図５，図６に示されるように、ドア枠４３は、断面矩形のパイプ材によって門型に組まれた枠支持鋼材４４を備えている。図４,５に示されるように、枠支持鋼材４４の表側面（図１に示される附室２２の側を向く面）、裏側面（図１に示される居室１８の側を向く面）および内側面（耐火扉３１の側を向く面）には、それぞれ厚さ５〜２５ｍｍ程度の板状の耐火被覆板４５が貼り付けられている。
【００２６】
また、ドア枠４３の表側面および裏側面に貼り付けられている耐火被覆板４５には、耐火被覆板４５よりも薄い遮熱板４６が重ねて貼り付けられている。この遮熱板４６にも、アルミナシリカ繊維、ロックウール繊維、アルカリ土類酸化物シリケート繊維、防燃処理が施されたセルロース繊維その他の不燃性繊維を板状に成形したものが用いられている。遮熱板４６は化粧材としての役割も果たしている。なお、耐火被覆板４５のみで必要十分な遮熱性能が得られる場合には、塗装された鋼材、アルミ材、ステンレス材などを遮熱板４６として用いてもよい。
【００２７】
一方、耐火扉３１の支持構造材４１は、図３（ａ）〜（ｅ）に示されるように、略矩形の、防火断熱板７１と、一対の裏側鋼板７２および表側鋼板７３と、一対の裏側被覆板７４および表側被覆板７５とを備える。防火断熱板７１には、ドアパネル４２が配置される略矩形のドアパネル配置部８１が形成され、裏側鋼板７２、表側鋼板７３、裏側被覆板７４、表側被覆板７５には、略矩形の開口部８２，８３，８４，８５が形成される。
【００２８】
図３（ａ）〜（ｅ），図４に示されるように、各開口部８２，８３，８４，８５の大きさはほぼ同一である。また、ドアパネル４２の大きさは、ドアパネル配置部８１よりも小さく、各開口部８２，８３，８４，８５よりも大きい。
【００２９】
詳細には、ドアパネル配置部８１の大きさは、ドアパネル４２よりも高さ方向に１５ｍｍ程度大きく、幅方向に３０ｍｍ程度大きい。このように、ドアパネル４２よりもドアパネル配置部８１を大きくすることで、ドアパネル配置部８１に配置されたドアパネル４２の外周と、ドアパネル配置部８１の内周との間に１５ｍｍ程度のクリアランスが形成される。これによって、ドアパネル４２は、ドアパネル配置部８１内で熱膨張可能になり、熱膨張することで破損することを抑制できる。
【００３０】
また、開口部８２，８３，８４，８５の大きさは、ドアパネル配置部８１よりも高さ方向に３０〜５０ｍｍ程度小さく、幅方向に３０〜５０ｍｍ程度小さい。
【００３１】
図４〜図６に示されるように、防火断熱板７１のドアパネル配置部８１には、ドアパネル４２が配置され、ドアパネル４２が配置された防火断熱板７１の表側面（耐火扉３１が閉じられた際に、図１に示される附室２２の側を向く面）には、厚さ１ｍｍ〜２ｍｍ程度の板状の表側鋼板７３が取り付けられ、裏側面（耐火扉３１が閉じられた際に、図１に示される附室２２の側を向く面）には、厚さ１ｍｍ〜２ｍｍ程度の板状の裏側鋼板７２が取り付けられる。防火断熱板７１には、ケイ酸カルシウム、不燃性ポリウレタン、アルミナシリカ繊維、セルロース繊維、ロックウール繊維、その他の不燃性繊維を板状に成形したものが用いられており、厚さは、２０ｍｍ〜４０ｍｍ程度である。また、防火断熱板７１は、厚さ１０ｍｍ〜２０ｍｍ程度の２枚の防火断熱板が重ねて貼り合わされることで成形される。
【００３２】
図６に示されるように、支持構造材４１の内側に配置されたドアパネル４２は、表側鋼板７３と裏側鋼板７２とにより挟み込まれる。支持構造材４１は、表側鋼板７３と裏側鋼板７２とにより挟み込まれることで支持される。これにより、支持構造材４１が外部からの応力により変形されることを抑止できる。
【００３３】
また、支持構造材４１が表側鋼板７３と裏側鋼板７２とにより挟み込まれることで、ドアパネル配置部８１の内周側には、断面コの字の溝状が形成されている。そして、ドアパネル４２は、その外周部分が、ドアパネル配置部８１の内周側に形成された溝に嵌め込まれることで、支持構造材４１に取り付けられる。また、支持構造材４１の左右両側枠部分においては、ドアパネル４２を支持構造材４１の枠内に配置した後に押縁６２を取り付けることで固定されている。これらの押縁６２としては、鋼材に化粧材が張られたものや塗装された鋼材、アルミ材、ステンレス材などが用いられる。
【００３４】
また、ドアパネル配置部８１の内周側に形成された溝と、この溝に嵌め込まれているドアパネル４２の外周部分との間にはそれぞれセラミックファイバー製の保持材６３が配置されるとともにシリコンシーラントなどのシール材６４が配置されている。また、ドアパネル４２の下端が嵌め込まれている溝と、防火断熱板７１との間には不燃材で形成されたセッティングブロック６５が配置され、このセッティングブロック６５によりドアパネル４２が所定の高さ位置に支持されている。
【００３５】
裏側鋼板７２の裏側面には、厚さ１ｍｍ〜２ｍｍ程度の板状の裏側被覆板７４が取り付けられ、表側鋼板７３の表側面には、厚さ１ｍｍ〜２ｍｍ程度の板状の表側被覆板７５が取り付けられる。
【００３６】
裏側被覆板７４および表側被覆板７５は、化粧板７６ａ，７６ｂに、化粧鋼板７７ａ，７７ｂが貼り付けられることで形成される。化粧板７６ａ，７６ｂには、アルミナシリカ繊維、ロックウール繊維、アルカリ土類酸化物シリケート繊維、防燃処理が施されたセルロース繊維その他の不燃性繊維を板状に成形したものが用いられている。また、化粧鋼板７７ａ，７７ｂには、塗装された鋼材、アルミ材、ステンレス材などを板状に成形したものが用いられている。
【００３７】
なお、化粧板７６ａ，７６ｂの支持構造材側の面（表側被覆板の前記表側鋼板側の面）に熱感応型発泡材が設けられる。すなわち、熱感応型発泡材は、表側被覆板７５の表側鋼板側の面および裏側被覆板７４の裏側鋼板側の面に設けられる。これらの熱感応型発泡材は、所定温度にまで加熱されると発泡、膨張するものであり、例えば、ケイ酸ソーダ系、カーボングラファイト系のものなどが用いられている。熱感応型発泡材を化粧板７６ａ，７６ｂの支持構造材側の面に設けることにより、火災時には、当該火災の熱を受けて発泡した熱感応型発泡材により化粧板７６ａ，７６ｂの支持構造材側の面と支持構造材４１との間の隙間が塞がれる。したがって、これによって、火災時にドアパネルを囲う支持構造材が変形することを抑止できる。
【００３８】
裏側被覆板７４の化粧鋼板７７ａの上端および下端は、表側鋼板側に屈曲している。一方、裏側鋼板７２の上端および下端は、裏側被覆板側に屈曲している。これによって、裏側被覆板７４の化粧鋼板７７ａの上端と裏側鋼板７２の上端とが互いに対向し、裏側被覆板７４の化粧鋼板７７ａの下端と裏側鋼板７２の下端とは互いに対向する。そして、裏側被覆板７４の化粧鋼板７７ａの上端と裏側鋼板７２の上端とがボルト１１１ａにより貫通され、裏側被覆板７４の化粧鋼板７７ａの下端と裏側鋼板７２の下端とが１１２ａにより貫通される。これによって、裏側鋼板７２に裏側被覆板７４が取り付けられる。
【００３９】
同様に、表側被覆板７５の化粧鋼板７７ｂの上端および下端は、裏側鋼板側に屈曲している。一方、表側鋼板７３の上端および下端は、裏側被覆板側に屈曲している。これによって、化粧鋼板７７ｂの上端と裏側鋼板７２の上端とが互いに対向し、化粧鋼板７７ｂの下端と裏側鋼板７２の下端とは互いに対向する。そして、表側被覆板７５の化粧鋼板７７ｂの上端と表側鋼板７３の上端とがボルト１１１により貫通され、表側被覆板７５の化粧鋼板７７ｂの下端と表側鋼板７３の下端とがボルト１１２により貫通される。これによって、表側鋼板７３に表側被覆板７５が取り付けられる。
【００４０】
図５、図６に示されるように、裏側鋼板７２と、防火断熱板７１と、表側鋼板７３とは、複数のボルト９０により貫通されている。また、裏側鋼板７２と防火断熱板７１と表側鋼板７３とを貫通したボルト９０のねじ先側からはナット９３が締め込まれる。ナット９３は、ねじ先から頭部９１に向けて締め込まれ、これによって、防火断熱板７１の裏側面に裏側鋼板７２が取り付けられ、表側面に表側鋼板７３が取り付けられる。
【００４１】
図７（ａ）に示されるように、ボルト９０の頭部９１と裏側鋼板７２との間には、第１ワッシャー９２ａが設けられる。ボルト９０の頭部９１と裏側鋼板７２との間に第１ワッシャー９２ａが設けられることで、ボルト９０の頭部９１が、裏側鋼板７２に上下方向に開口するルーズ穴９４ａに対して固定される。
【００４２】
また、図８（ａ）に示されるように、ナット９３と表側鋼板７３との間には、第２ワッシャー９２ｂが設けられる。ボルト９０のねじ先９５と表側鋼板７３との間に第２ワッシャー９２ｂが設けられることで、ボルト９０のねじ先側が、表側鋼板７３に上下方向に開口するルーズ穴９４ｂに対して固定される。なお、図７（ａ），（ｂ）および図８（ａ），（ｂ）は、説明の便宜の為に模式的に図示されている。
【００４３】
第１ワッシャー９２ａおよび第２ワッシャー９２ｂには、ポリプロピリンなどの高分子化合物などの物質をドーナツ状に成形したものが用いられている。第１ワッシャー９２ａ、第２ワッシャー９２ｂは、温度が所定温度（８５℃〜１７０℃）になると融解し、その後、消失する。
【００４４】
図７（ｂ）に示されるように、第１ワッシャー９２ａが消失すると、ボルト９０の頭部９１は、裏側鋼板９２に形成されるルーズ穴９４ａに対して固定されていた状態から解放される。同様に、図８（ａ）に示されるように、第２ワッシャー９２ｂが消失すると、ボルト９０のねじ先側の端は、表側鋼板７３に形成されるルーズ穴９４ｂに対して固定されていた状態から解放される。
【００４５】
例えば、裏面側にて火災が発生し、裏側被覆板７４の化粧板７６ａが所定温度にまで加熱されると、裏側被覆板７４の化粧板７６ａに設けられる熱感応型発泡材が発泡する。そして、発泡した熱感応型発泡材により化粧板７６ａの支持構造材側の面と支持構造材４１との間の隙間が塞がれる。所定時間経過すると発泡した熱感応型発泡材は消失し、裏側鋼板７２と第１ワッシャー９２ａとが加熱される。所定温度まで加熱された第１ワッシャー９２ａは、消失する。また、所定温度まで加熱された裏側鋼板７２は、変形する。
【００４６】
第１ワッシャー９２ａが消失すると、ボルト９０の頭部９１は、裏側鋼板７２のルーズ穴９４ａに対して固定されていた状態から解放される。そして、裏側鋼板７２の変形に伴い、頭部９１に対するルーズ穴９４ａの位置が、上方向または下方向のいずれに移動される。これによって、裏側鋼板７２が変形する際に生じる応力が、ボルト９０に伝わることを抑止できる。そして、裏側鋼板７２が変形する際に生じる応力が、ボルト９０を介して表側鋼板７３に加わることを抑止でき、裏側鋼板７２と表側鋼板７３とが一体で変形することを防止できる。そして、表側鋼板７３により防火断熱板７１が支持された状態を維持でき、防火断熱板７１が変形することを抑止できる。そして、裏側鋼板７２と表側鋼板７３と防火断熱板７１とが一体で変形することによる応力により、ドアパネル４２が破損することを防止できる。
【００４７】
一方、表面側にて火災が発生すると、表側鋼板７３と第２ワッシャー９２ｂとが加熱される。所定温度まで加熱された第２ワッシャー９２ｂは、消失する。また、所定温度まで加熱された表側鋼板７３は、変形する。
【００４８】
第２ワッシャー９２ｂが消失すると、ボルト９０のねじ先側は、表側鋼板７３のルーズ穴９４ｂに対して固定されていた状態から解放される。そして、表側鋼板７３の変形に伴い、ボルト９０のねじ先側に対するルーズ穴９４ｂの位置が、上方向または下方向のいずれに移動される。これによって、表側鋼板７３が変形する際に生じる応力が、ボルト９０に伝わることを抑止できる。そして、表側鋼板７３が変形する際に生じる応力が、ボルト９０を介して裏側鋼板７２に加わることを抑止でき、裏側鋼板７２と表側鋼板７３とが一体で変形することを防止できる。そして、裏側鋼板７２により防火断熱板７１が支持された状態を維持でき、防火断熱板７１が変形することを抑止できる。そして、裏側鋼板７２と表側鋼板７３と防火断熱板７１とが一体で変形することによる応力により、ドアパネル４２が破損することを防止できる。
【００４９】
本発明は前記実施の形態に限定されるものではなく、その要旨を逸脱しない範囲で種々変更可能であることはいうまでもない。例えば、前記実施形態においては、居室１８と附室２２との間の耐火扉３１と、階段室２１と附室２２との間の耐火扉３２の両方にドアパネル４２が用いられているが、これに限らず、いずれか一方の耐火扉３１，３２のみにドアパネル４２を用いるようにしてもよい。
【符号の説明】
【００５０】
１１  消防活動拠点
１２  建物
１３，１４  耐火壁（ガラス耐火壁）
１３ａ，１４ａ  耐火ガラス（遮熱型耐火ガラス）
１５〜１７  耐火壁
１８  居室
１９  耐火間仕切壁（ガラス耐火間仕切壁）
１９ａ  耐火ガラス（遮熱型耐火ガラス）
２１  階段室
２２  附室（特別避難階段附室）
２３  避難階段（特別避難階段）
２４  エレベータ
３１，３２  耐火扉（ガラス耐火扉）
４１  支持構造材
４２  ドアパネル
４３  ドア枠
４４  枠支持鋼材
４５  耐火被覆板
４６  遮熱板
５２  取っ手（引き棒）
５３  取っ手（押し棒）
６２  押縁
６３  保持材
６４  シール材
６５  セッティングブロック
７１  防火断熱板
７２  裏側鋼板
７３  表側鋼板
７４  裏側被覆板
７５  表側被覆板
７６ａ，７６ｂ  化粧板
７７ａ，７７ｂ  化粧鋼板
８１  ドアパネル配置部
８２，８３，８４，８５，  開口部
９０  ボルト
９１  頭部
９２ａ  第１ワッシャー
９２ｂ  第２ワッシャー
９３  ナット
９４ａ，９４ｂ  ルーズ穴
９５  ねじ先
１１２  ボルト
【図１】
0006433358.tif 000002
【図２】
0006433358.tif 000003
【図３】
0006433358.tif 000004
【図４】
0006433358.tif 000005
【図５】
0006433358.tif 000006
【図６】
0006433358.tif 000007
【図７】
0006433358.tif 000008
【図８】
0006433358.tif 000009